(57)【特許請求の範囲】
【請求項１】
第一部材と、前記第一部材を収容する収容部を有する第二部材と、を有し、前記第一部材を前記第二部材に収容することで構成される被支持部材と、
開口部を有し、前記開口部から前記被支持部材を挿入して支持する支持体と、
を備え、
前記被支持部材は、所定の第一挿入方向に沿って前記支持体へ挿入されるよう構成され、
前記被支持部材の前記第一部材は、前記第一挿入方向と交差する第二挿入方向に沿って、前記第二部材の前記収容部に挿入されるよう構成され、
前記第一部材は、前記第二挿入方向に沿って延在するガイド部を有し、
前記第二部材の前記収容部は、前記第二挿入方向に沿って延在し、前記ガイド部と嵌合可能に設けられたガイド受け部を有し、
前記ガイド部は、前記第二挿入方向と直交する前記第一挿入方向の一方側に突出する第一突起部と、前記第一挿入方向の他方側に突出する第二突起部とを有し、
前記ガイド受け部は、前記ガイド部との嵌合時に前記第一突起部を保持する第一溝部と、前記第二突起部を保持する第二溝部とを有する
ことを特徴とする、被支持部材と支持体との支持構造。
【請求項２】
前記ガイド部及び前記ガイド受け部は、相互に嵌合することで、前記第一部材と前記第二部材との間における前記第一挿入方向の相対的な変動量を低減するよう形成される
ことを特徴とする、請求項１に記載の被支持部材と支持体との支持構造。
【請求項３】
前記第一部材は、第一電子部品と、前記第一電子部品と電気的に接続されるバスバーとを有し、
前記第二部材は、第二電子部品と、中継端子とを有し、
前記中継端子は、長手形状の端子であり、一方側の端部にて前記第二電子部品の端子部が嵌合され、他方側の端部にて前記第一部材の前記バスバーが嵌合されることで、前記第二電子部品及び前記バスバーと電気的に接続するよう構成され、
前記第二電子部品の前記中継端子への嵌合方向、及び、前記バスバーの前記中継端子への嵌合方向は、共に前記第二挿入方向となるよう構成される
ことを特徴とする、請求項１または２に記載の被支持部材と支持体との支持構造。
【請求項４】
第一電子部品を収容する第一ブロックと、第二電子部品を収容すると共に、前記第一ブロックを収容する収容部を有する第二ブロックと、を有し、前記第一ブロックを前記第二ブロックに収容することで構成されるブロックアセンブリと、
設置時に上方側及び下方側に開口が位置する筒状に形成されるフレームと、
前記フレームの前記上方側の開口を塞ぐアッパカバーと、
前記フレームの前記下方側の開口を塞ぐロアカバーと、
前記フレームの内周側に固設され、前記ロアカバー側に開口部を有し、前記開口部から前記ブロックアセンブリを挿入して支持する支持部と、
を備え、
前記ブロックアセンブリは、所定の第一挿入方向に沿って前記支持部へ挿入されるよう構成され、
前記ブロックアセンブリの前記第一ブロックは、前記第一挿入方向と交差する第二挿入方向に沿って、前記第二ブロックの前記収容部に挿入されるよう構成され、
前記第一ブロックは、前記第二挿入方向に沿って延在するガイド部を有し、
前記第二ブロックの前記収容部は、前記第二挿入方向に沿って延在し、前記ガイド部と嵌合可能に設けられたガイド受け部を有する
ことを特徴とする、電気接続箱。
【発明の詳細な説明】
【技術分野】
【０００１】
本発明は、被支持部材と支持体との支持構造及び電気接続箱に関する。
【背景技術】
【０００２】
従来、自動車等の車両に搭載され、ワイヤーハーネス等の接続処理用部品や、ヒューズ、リレー、電子制御ユニット等の電装品などの種々の電子部品モジュールを集約して内部に収容する電気接続箱（ジャンクションボックス、ヒューズブロック、リレーブロックなどとも呼ばれる）が知られている。このような電気接続箱の構成として、例えば特許文献１には、筒状のフレームと、このフレームの両開口を塞ぐアッパカバー及びロアカバーを備える構成が開示されている。特許文献１に記載の電気接続箱では、電子部品を収容可能なカセットブロックを装着する装着部がフレームの内部に設けられ、カセットブロックはフレームのロアカバー側の開口から装着部に挿入されて装着される。カセットブロックは、装着部に装着されてフレーム内部に収容されると共に、ロアカバー側から電線が接続される。
【先行技術文献】
【特許文献】
【０００３】
【特許文献１】特開２００７−６８２７４号公報
【発明の概要】
【発明が解決しようとする課題】
【０００４】
ところで、上記のカセットブロック（被支持部材）が、例えば電子部品や他のブロックなどの他の部材を内部に挿入し支持している状態で、電気接続箱のフレームに設けられる装着部（支持体）に装着される場合がある。このとき、被支持部材と、その内部に収容される他部材との間のクリアランスなどの影響により、支持体側から被支持部材側に入力される振動が内部の他部材に伝達されやすいなど、被支持部材の耐振動性に改善の余地があった。
【０００５】
本発明は、上記に鑑みてなされたものであって、耐振動性を向上できる被支持部材と支持体との支持構造及び電気接続箱を提供することを目的とする。
【課題を解決するための手段】
【０００６】
上記の課題を解決するため、本発明に係る被支持部材と支持体との支持構造は、第一部材と、前記第一部材を収容する収容部を有する第二部材と、を有し、前記第一部材を前記第二部材に収容することで構成される被支持部材と、開口部を有し、前記開口部から前記被支持部材を挿入して支持する支持体と、を備え、前記被支持部材は、所定の第一挿入方向に沿って前記支持体へ挿入されるよう構成され、前記被支持部材の前記第一部材は、前記第一挿入方向と交差する第二挿入方向に沿って、前記第二部材の前記収容部に挿入されるよう構成され、前記第一部材は、前記第二挿入方向に沿って延在するガイド部を有し、前記第二部材の前記収容部は、前記第二挿入方向に沿って延在し、前記ガイド部と嵌合可能に設けられたガイド受け部を有し、前記ガイド部は、前記第二挿入方向と直交する前記第一挿入方向の一方側に突出する第一突起部と、前記第一挿入方向の他方側に突出する第二突起部とを有し、前記ガイド受け部は、前記ガイド部との嵌合時に前記第一突起部を保持する第一溝部と、前記第二突起部を保持する第二溝部とを有することを特徴とする。
【０００９】
また、上記の被支持部材と支持体との支持構造において、前記ガイド部及び前記ガイド受け部は、相互に嵌合することで、前記第一部材と前記第二部材との間における前記第一挿入方向の相対的な変動量を低減するよう形成されることが好ましい。
【００１０】
また、上記の被支持部材と支持体との支持構造において、前記第一部材は、第一電子部品と、前記第一電子部品と電気的に接続されるバスバーとを有し、前記第二部材は、第二電子部品と、中継端子とを有し、前記中継端子は、長手形状の端子であり、一方側の端部にて前記第二電子部品の端子部が嵌合され、他方側の端部にて前記第一部材の前記バスバーが嵌合されることで、前記第二電子部品及び前記バスバーと電気的に接続するよう構成され、前記第二電子部品の前記中継端子への嵌合方向、及び、前記バスバーの前記中継端子への嵌合方向は、共に前記第二挿入方向となるよう構成されることが好ましい。
【００１１】
同様に、上記の課題を解決するため、本発明に係る電気接続箱は、第一電子部品を収容する第一ブロックと、第二電子部品を収容すると共に、前記第一ブロックを収容する収容部を有する第二ブロックと、を有し、前記第一ブロックを前記第二ブロックに収容することで構成されるブロックアセンブリと、設置時に上方側及び下方側に開口が位置する筒状に形成されるフレームと、前記フレームの前記上方側の開口を塞ぐアッパカバーと、前記フレームの前記下方側の開口を塞ぐロアカバーと、前記フレームの内周側に固設され、前記ロアカバー側に開口部を有し、前記開口部から前記ブロックアセンブリを挿入して支持する支持部と、を備え、前記ブロックアセンブリは、所定の第一挿入方向に沿って前記支持部へ挿入されるよう構成され、前記ブロックアセンブリの前記第一ブロックは、前記第一挿入方向と交差する第二挿入方向に沿って、前記第二ブロックの前記収容部に挿入されるよう構成され、前記第一ブロックは、前記第二挿入方向に沿って延在するガイド部を有し、前記第二ブロックの前記収容部は、前記第二挿入方向に沿って延在し、前記ガイド部と嵌合可能に設けられたガイド受け部を有することを特徴とする。
【発明の効果】
【００１２】
本発明によれば、第一部材のガイド部と、第二部材のガイド受け部とが嵌合した状態で第一部材が第二部材に収容されることで、被支持部材を構成する第一部材と第二部材との間の第一挿入方向の相対変動を低減させることが可能となり、被支持部材の耐振動性を向上できるという効果を奏する。
【図面の簡単な説明】
【００１３】
【図１】図１は、本実施形態に係る被支持部材と支持体との支持構造が適用される電気接続箱の概略構成を示す縦断面図であり、図２中のＩ−Ｉ断面図である。
【図２】図２は、図１中のブロックアセンブリの概略構成を示す斜視図である。
【図３】図３は、図２に示すブロックアセンブリの分解斜視図である。
【図４】図４は、図３中のリレーブロックを奥行き方向背面側から視た斜視図である。
【図５】図５は、図３中のヒューズブロックを高さ方向下側から視た斜視図である。
【図６】図６は、図２に示すブロックアセンブリの内部におけるリレーとヒューズとの接続構造を示す斜視図である。
【図７】図７は、ブロックアセンブリを電気接続箱の支持部に挿入及び係合する構成を説明するための斜視図である。
【図８】図８は、図２に示すブロックアセンブリの縦断面図であり、図２中のＶＩＩＩ−ＶＩＩＩ断面図である。
【発明を実施するための形態】
【００１４】
以下に、本発明に係る被支持部材と支持体との支持構造及び電気接続箱の実施形態を図面に基づいて説明する。なお、以下の図面において、同一または相当する部分には同一の参照番号を付し、その説明は繰り返さない。
【００１５】
［実施形態］
図１〜８を参照して、本発明の一実施形態に係る被支持部材と支持体との支持構造が適用される電気接続箱の構成について説明する。図１は、本実施形態に係る被支持部材と支持体との支持構造が適用される電気接続箱の概略構成を示す縦断面図であり、図２中のＩ−Ｉ断面図である。図２は、図１中のブロックアセンブリの概略構成を示す斜視図である。図３は、図２に示すブロックアセンブリの分解斜視図である。図４は、図３中のリレーブロックを奥行き方向背面側から視た斜視図である。図５は、図３中のヒューズブロックを高さ方向下側から視た斜視図である。図６は、図２に示すブロックアセンブリの内部におけるリレーとヒューズとの接続構造を示す斜視図である。図７は、ブロックアセンブリを電気接続箱の支持部に挿入及び係合する構成を説明するための斜視図である。図８は、図２に示すブロックアセンブリの縦断面図であり、図２中のＶＩＩＩ−ＶＩＩＩ断面図である。
【００１６】
図１に示す本実施形態に係る電気接続箱１は、自動車等の車両に搭載され、ワイヤーハーネス・電線等の接続処理用部品を構成するコネクタ、ヒューズ、リレー、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズブロック、リレーブロックなどとも呼ばれる場合があるが、本実施形態ではこれらを総称して電気接続箱と呼ぶ。
【００１７】
電気接続箱１は、筐体２の内部の収容空間部に、種々の電子部品が収容される。筐体２は、例えば、フレーム３、アッパカバー４、及び、ロアカバー５等を含んで構成される。筐体２は、フレーム３、アッパカバー４、及び、ロアカバー５が分割された３層分割構造となっている。フレーム３、アッパカバー４、及び、ロアカバー５は、絶縁性の合成樹脂等によって形成される。フレーム３は、電子部品が組み付けられる収容空間部を形成する主たる部材である。フレーム３は、互いに連なる複数の壁部からなる周壁により、略ロの字型の筒状に形成され、この電気接続箱１がエンジンルーム等に接続された状態で、鉛直方向上側（上方側）、及び、鉛直方向下側（下方側）に開口３ａ，３ｂが位置する。アッパカバー４は、フレーム３の鉛直方向上側の上側開口３ａを塞ぐ蓋状の部材である。ロアカバー５は、フレーム３の鉛直方向下側の下側開口３ｂを塞ぐ皿状（トレイ状）の部材である。筐体２は、フレーム３の上側開口３ａとアッパカバー４の開口とが対向し、フレーム３の下側開口３ｂとロアカバー５の開口とが対向するようにして、アッパカバー４がフレーム３の鉛直方向上側に組み付けられ、ロアカバー５がフレーム３の鉛直方向下側に組み付けられる。筐体２は、フレーム３に対して、種々の形式の係止機構（図示せず）を介して、アッパカバー４、ロアカバー５が係止される。なお、フレーム３とアッパカバー４とロアカバー５とが積層される方向は、典型的には、この電気接続箱１がエンジンルーム等に接続された状態で、図１に示すように鉛直方向に沿っているが、当該電気接続箱１の設置状況によっては当該積層される方向が鉛直方向に対して所定の角度を有して設置される場合もある。同様に、鉛直方向と直交する水平方向（図１参照）も、電気接続箱１の設置状況によっては実際の水平方向に対して所定の角度を有する方向となる場合もある。
【００１８】
この筐体２の内部の収容空間部には、フレーム３の内部に一体的に形成される種々の形状の区画壁６によって、複数の支持部７（支持体）が形成されている。この支持部７に、各種電子部品を収容した各種ブロック（「収容部材」ともいう。本実施形態では後述するブロックアセンブリ１０）が収容されて支持される。支持部７は、図１，７に示すように、鉛直方向下側（ロアカバー５側）に開口する開口部７ｃを有し、開口部７ｃから各種ブロックを挿入して支持できるよう構成されている。この筐体２の内部の収容空間部に組み付けられる種々の電子部品としては、上述したように、コネクタ、ヒューズ、リレー、分岐部、電子制御ユニット等の電装品が含まれる。この場合、区画壁６、ブロック等もフレーム３等と同様に絶縁性の合成樹脂等によって形成される。そして、電気接続箱１は、種々の電子部品が組み付けられた各支持部７に対して、挿通口（図示せず）等を介して配索される電線の端子等が鉛直方向下側から嵌合し電気的に接続される。
【００１９】
ここで、電子部品は、ブロックを介して支持部７に挿入されて支持される構成でもよいし、支持部７に対して直接支持される構成でもよい。ただし、本実施形態では、電子部品がブロックに収容された状態で、ブロックが支持部７に支持されることにより、結果的に、電子部品が支持部に支持される構成を対象とするものであり、以下ではこれに絞って説明する。
【００２０】
本実施形態では、このように電子部品を収容して電気接続箱１の支持部７に支持されるブロックの一例として、複数のブロックの集合体であるブロックアセンブリ１０（被支持部材）を挙げて説明する。ブロックアセンブリ１０は、複数のブロックを組み合わせて構成される集合体であり、図１〜３に示すように、本実施形態では、リレーブロック２０（第二部材）とヒューズブロック３０（第一部材）とを組み合わせて構成される。
【００２１】
なお、以下の説明では、ブロックアセンブリ１０のヒューズブロック３０とリレー２１との積層方向（図２，３の上下方向）を「高さ方向」と表記し、ヒューズブロック３０が位置する側を「上側」、リレー２１が位置する側を「下側」と表記する。なお、この高さ方向は、図１に示すように、ブロックアセンブリ１０が電気接続箱１の支持部７に支持された状態では電気接続箱１の鉛直方向（フレーム３、アッパカバー４、ロアカバー５の積層方向）と一致する。また、図２，３に示すように、リレーブロック２０に対するリレー２１とヒューズブロック３０の挿入方向を「奥行き方向」と表記し、リレー２１が挿入される側を「前面側」、ヒューズブロック３０が挿入される側を「背面側」と表記する。なお、この奥行き方向は、図１に示すように、ブロックアセンブリ１０が電気接続箱１の支持部７に支持された状態では電気接続箱１の水平方向と一致する。また、図２，３に示すように、高さ方向及び奥行き方向と直交する方向（リレー２１，２１が配列される方向）を「幅方向」と表記する。また、以下の説明では、ブロックアセンブリ１０を電気接続箱１の支持部７に挿入する挿入方向（図１の鉛直方向）を「第一挿入方向」とも表記する場合がある。また、ヒューズブロック３０をリレーブロック２０のヒューズブロック収容部２８に挿入する挿入方向（図２，３の奥行き方向）を「第二挿入方向」とも表記する場合がある。
【００２２】
図２，３に示すように、本実施形態のブロックアセンブリ１０は、リレー２１を収容するリレーブロック２０の内部に、ヒューズブロック３０の全体も収容するよう構成されている。このブロックアセンブリ１０は、図７に示すように、高さ方向下側（図１の鉛直方向下側、ロアカバー５側）から高さ方向（図１の鉛直方向、第一挿入方向）に沿って電気接続箱１の支持部７へ挿入されるよう構成されている。
【００２３】
リレーブロック２０は、リレー２１と、このリレー２１を収容する収容部材２２とを相互に組み付けて構成されている。また、本実施形態では、このリレーブロック２０の収容部材２２にヒューズブロック３０も収容されて組み付けられている。
【００２４】
リレー２１は、直方体状のリレー本体２１ａと、リレー本体２１ａに設けられるタブ２３とを備えている。リレー本体２１ａは、内部に収容空間を有し、この収容空間にベース部２１ｂに配設されるリレー部品（図示せず）が収容される。リレー本体２１ａは、矩形板状のベース部２１ｂと、直方体状である中空のケース部２１ｃとを有する。ベース部２１ｂには、矩形板状の一方の面上に、リレー２１の各種機能を実現するためのリレー部品（図示せず）が配設されている。ケース部２１ｃは、直方体状の一面が開口されており、ベース部２１ｂによって開口を塞ぎつつ、ベース部２１ｂと係合することで、ベース部２１ｂと共にリレー本体２１ａを構成する。リレー本体２１ａは、電気接続箱１のフレーム３等と同様に絶縁性の合成樹脂等によって形成される。
【００２５】
リレー本体２１ａは、ベース部２１ｂと対向配置される矩形状の底壁２１ｄと、この底壁２１ｄの矩形状の四辺からベース部２１ｂ側に立設する４つの側壁２１ｅ，２１ｆ，２１ｇ，２１ｈとを有する。図１に示すように、側壁２１ｅ及び側壁２１ｇが対向配置され、また、側壁２１ｇ及び側壁２１ｈが対向配置される（図１，２参照）。
【００２６】
タブ２３は、導電性を有する金属製の端子であり、リレー本体２１ａの内部のリレー部品に電気的に接続され、リレー本体２１ａの内部から外部へ露出されている。なお、タブ２３の数、幅や厚さは任意に設定することができる。
【００２７】
本実施形態においては、リレー２１は、板状をなす４つのタブ２３を有しており、このうち１つのタブ２３ａ（端子部）が、リレー本体２１ａの側壁２１ｅに設けられ、他の３つのタブ２３ｂが、側壁２１ｅと対向配置される側壁２１ｇに設けられている。すなわち、タブ２３は、リレー本体２１ａの側壁２１ｅ〜２１ｈのうち相互に対向配置される一対の側壁２１ｅ，２１ｇに設けられている。
【００２８】
タブ２３ａは、リレー本体２１ａの側壁２１ｅから突出する基端部２４ａと、この基端部２４ａの突出先端から屈曲し、側壁２１ｅと間隔を空けつつ側壁２１ｅの表面に沿って底壁２１ｄ側へ垂下して延在する嵌合部２５ａから構成される。同様に、タブ２３ｂは、リレー本体２１ａの側壁２１ｇから突出する基端部２４ｂと、この基端部２４ｂの突出先端から屈曲し、側壁２１ｇと間隔を空けつつ側壁２１ｇの表面に沿って底壁２１ｄ側へ垂下して延在する嵌合部２５ｂから構成される。
【００２９】
タブ２３ａの嵌合部２５ａは、リレー２１が収容部材２２に収容された状態で、収容部材２２の内部に配置される中継端子４２と電気的に接続される。中継端子４２は、タブ２３と同様に導電性を有する金属製の端子であり、リレー２１のタブ２３ａをヒューズブロック３０と電気的に接続させるものである（図１，６参照）。本実施形態では、中継端子４２は、図１，６に示すように、長手形状の筒型体であり、その両端にてリレー２１のタブ２３ａと、後述するヒューズブロック３０内のバスバー３２のリレー接続部３２ｂとを嵌合可能に形成された、所謂メス・メス型の端子である。
【００３０】
タブ２３ｂの嵌合部２５ｂは、リレー２１が収容部材２２に収容された状態で、収容部材２２の内部に配置される端子金具４１と電気的に接続される。端子金具４１は、タブ２３及び中継端子４２と同様に導電性を有する金属製の端子であり、リレー２１のタブ２３ｂを電線８ａと電気的に接続するものである（図１参照）。
【００３１】
収容部材２２は、リレー２１、端子金具４１及び中継端子４２を収容して保持するための樹脂製の筐体である。図２，３に示すように、収容部材２２は、奥行き方向の前面側に前面部２２ａを有し、幅方向の両側に対向する一対の側面部２２ｂを有する。
【００３２】
前面部２２ａのうち高さ方向下側の領域には、リレー２１のリレー本体２１ａを案内して収容する第一収容室２６と、リレー２１のタブ２３を案内して収容する第二収容室２７（２７ａ，２７ｂ）とが設けられている。第一収容室２６及び第二収容室２７は、奥行き方向の前面側に開口され、前面部２２ａの表面から奥行き方向に沿って収容部材２２の内部側に延在するよう形成されている。また、第二収容室２７は、第一収容室２６より高さ方向上側に配置される第二収容室２７ａと、第一収容室２６より高さ方向下側に配置される第二収容室２７ｂとを含む。第二収容室２７ａはリレー２１のタブ２３ａを収容可能に形成され、第二収容室２７ｂはリレー２１のタブ２３ｂを収容可能に形成される。すなわち、本実施形態では、リレー２１は、４個のタブ２３のうち単一のタブ２３ａが配置される側壁２１ｅが高さ方向上側に向き、他の３個のタブ２３ｂが配置される側壁２１ｇが高さ方向下側に向き、かつ、底壁２１ｄが奥行き方向背面側に向いた状態で、収容部材２２に収容される。リレー２１は、収容部材２２に収容された状態では、図１に示すようにリレー本体２１ａのケース部２１ｃが第一収容室２６に収容され、タブ２３が第二収容室２７に収容され、かつ、図３に示すように、リレー本体２１ａのベース部２１ｂによって前面部２２ａの開口を奥行き方向前面側から塞いだ状態となる。
【００３３】
第二収容室２７ａには、中継端子４２が収容されて保持されており、リレー本体２１ａが第一収容室２６に収容されるときにタブ２３ａが第二収容室２７ａに挿入されて中継端子４２に嵌合するように構成されている。また、第二収容室２７ｂには、端子金具４１が収容されて保持されており、リレー本体２１ａが第一収容室２６に収容されるときにタブ２３ｂが第二収容室２７ｂに挿入されて端子金具４１に嵌合するように構成されている（図１参照）。
【００３４】
ここで、端子金具４１及び中継端子４２は、図１に示すように、共に長手方向が奥行き方向（水平方向）となるように第二収容室２７内に収容されている。このような配置のため、特に、高さ方向下側に配置される第二収容室２７ｂに収容される端子金具４１には、図１，７に示すように、水平方向（奥行き方向背面側）から電線８ａが接続されている。電線８ａは、フレーム３の内側に向かって収容部材２２（ブロックアセンブリ１０）から水平に引き出されている。つまり、電線８ａの収容部材２２への接続方向（図１の水平方向）は、この収容部材２２（ブロックアセンブリ１０）を電気接続箱１の支持部７に挿入する挿入方向（図１の鉛直方向）と直交するよう構成されている。
【００３５】
本実施形態では、単一の収容部材２２には、２組の第一収容室２６及び第二収容室２７が幅方向に並設されており、２つのリレー２１が幅方向に並列に収容されるよう構成されている。なお、収容部材２２が収容するリレー２１の数は特に限定されず、１個のリレー２１を収容する構成でもよいし、３個以上のリレー２１を収容する構成でもよい。また、複数のリレー２１でリレーブロック２０を構成する場合、図２，３に示すように同一態様のリレー２１で構成してもよいし、異なる態様のリレーを混在させた構成であってもよい。
【００３６】
収容部材２２の側面部２２ｂには、電気接続箱１の支持部７に取り付けるために、支持部７に設けられたロックアーム７ａ（図７参照）と係合可能な係合爪２２ｃと、支持部７に設けられたガイド受け部７ｂ（図７参照）と嵌合可能なガイド部材２２ｄとが突設されている。ブロックアセンブリ１０は、ガイド部材２２ｄを支持部７のガイド受け部７ｂと嵌合させつつ支持部７内に挿入され、係合爪２２ｃを支持部７のロックアーム７ａと係合させることで、電気接続箱１の支持部７内に係止して取り付けることができる。
【００３７】
図４に示すように、収容部材２２は、リレー２１を収容する第一収容室２６及び第二収容室２７が配置される領域の高さ方向上側に、ヒューズブロック３０を収容するためのヒューズブロック収容部２８（収容部）を有する。ヒューズブロック収容部２８は、前面部２２ａ及び側面部２２ｂの内周面、並びに、第二収容室２７ａの区画壁によって形成される領域であり、前面部２２ａの内周面により奥行き方向前面側の境界が画定され、側面部２２ｂの内周面により幅方向両側の境界が画定され、第二収容室２７ａによって高さ方向下側の境界が画定される。ヒューズブロック収容部２８の高さ方向上側の境界は、収容部材２２の高さ方向上側の端部と同一である。この端部において、一対の側面部２２ｂの間に梁部２８ａが設けられる。梁部２８ａは、その両端が一対の側面部２２ｂの奥行き方向の略中間の位置に接続され、幅方向に沿って延在するよう形成されている。梁部２８ａによって、ヒューズブロック収容部２８に収容されたヒューズブロック３０の高さ方向上側への抜け出しが抑制されている。
【００３８】
ヒューズブロック収容部２８は、奥行き方向背面側が開口しており、奥行き方向背面側からヒューズブロック３０を収容可能に構成されている。つまり、ヒューズブロック３０は、リレー２１とは奥行き方向の反対側からリレーブロック２０の収容部材２２に挿入される。ヒューズブロック収容部２８を形成する一対の側面部２２ｂの内周面には、ヒューズブロック３０をヒューズブロック収容部２８内に誘導するためのガイド受け部２９（２９ａ，２９ｂ）が設けられている。ガイド受け部２９は、奥行き方向に沿って延在し、ヒューズブロック３０がヒューズブロック収容部２８に挿入される際に、後述するヒューズブロック３０のガイド部３６（３６ａ，３６ｂ）と嵌合可能に設けられている。また、同じく一対の側面部２２ｂに、ヒューズブロック収容部２８内に収容されるヒューズブロック３０を係止するための係合孔２８ｂが設けられている。
【００３９】
図１，７に示すように、収容部材２２は、高さ方向の下側に底面部２２ｅを有する。底面部２２ｅは、図１に示すように、ブロックアセンブリ１０が電気接続箱１の支持部７に収容されたときに、最もロアカバー５側に位置する端面である。底面部２２ｅは、収容部材２２が支持部７に挿入される際に、支持部７の開口部７ｃと対向する側と反対側の端部にて、収容部材２２を支持部７に挿入するための押圧力が付加される被押圧面として機能するものである。
【００４０】
ヒューズブロック３０は、複数のヒューズ３１と、バスバー３２と、収容部材３３とを相互に組み付けて構成されている。収容部材３３は、ヒューズ３１及びバスバー３２を収容して保持するための樹脂製の筐体である。収容部材３３は、図１，７に示すように、奥行き方向の背面側に背面部３３ａを有し、図３に示すように、幅方向の両側に対向する一対の側面部３３ｂを有する。
【００４１】
収容部材３３には複数のヒューズ３１を収容するヒューズ収容室３４が設けられている。ヒューズ収容室３４は、収容部材３３の高さ方向上側に開口され、高さ方向に沿って収容部材３３の内部側に延在するよう形成されている。また、複数のヒューズ収容室３４が、幅方向に沿って並設されている。ヒューズ収容室３４は、収容された状態のヒューズ３１の一対の端子部３１ａ，３１ｂが奥行き方向に沿って並んで配置されるように形成されている（図６参照）。なお、図１〜３では、ヒューズブロック３０にはヒューズ３１の図示が省略されている。
【００４２】
収容部材３３の内部にはバスバー３２が埋設されている。図６に示すように、バスバー３２は、ヒューズ３１の一方側の端子部３１ａと電気的に接続可能なヒューズ接続部３２ａと、中継端子４２を介してリレー２１のタブ２３ａと電気的に接続可能なリレー接続部３２ｂとを有する。ヒューズ接続部３２ａは、ヒューズ収容室３４に収容されたヒューズ３１の一方側の端子部３１ａが挿し込まれ、これを挟持して保持するように収容部材３３内に配置される。リレー接続部３２ｂは、図５に示すように、収容部材３３の高さ方向の下側に露出して設けられ、ヒューズブロック３０がリレーブロック２０に収容された状態で、第二収容室２７ａ内の中継端子４２に嵌合される。図１，６に示すように、ヒューズ接続部３２ａは、高さ方向に延在し、高さ方向上側に端部を有するよう形成され、リレー接続部３２ｂは、奥行き方向に延在し、奥行き方向前面側に端部を有するよう形成される。バスバー３２は、ヒューズ収容室３４に収容されるヒューズ３１と、リレーブロック２０に収容されるリレー２１とを電気的に接続するためのものである。
【００４３】
また、ヒューズ収容室３４に収容されたヒューズ３１の他方側の端子部３１ｂ（図６参照）には、端子金具４３等を介して、電線８ｂが電気的に接続される（図１参照）。電線８ｂは、ヒューズブロック３０の高さ方向下側に開口する端子収容室３５（図１，５参照）の内部にて端子金具４３に接続され、この端子収容室３５の開口からロアカバー５側に引き出されている。
【００４４】
収容部材３３の側面部３３ｂの高さ方向の上側端部及び下側端部には、奥行き方向に沿って延在するガイド部３６が設けられている。ガイド部３６は、リレーブロック２０のガイド受け部２９と嵌合することで、ヒューズブロック３０を奥行き方向に沿って誘導するためのものである。ガイド部３６及びガイド受け部２９によって、ヒューズブロック３０は、奥行き方向（第二挿入方向）に沿って、リレーブロック２０のヒューズブロック収容部２８に挿入されるよう構成される。つまり、ヒューズブロック３０のリレーブロック２０への挿入方向は、ブロックアセンブリ１０の電気接続箱１の支持部７への挿入方向と直交する。
【００４５】
また、側面部３３ｂには、リレーブロック２０の係合孔２８ｂと係合可能な係合爪３７が設けられている。係合爪３７は、ヒューズブロック３０がリレーブロック２０のヒューズブロック収容部２８内に完全に収容された状態で、係合孔２８ｂと係合するよう配置されている。
【００４６】
ここで、リレーブロック２０とヒューズブロック３０との嵌合についてさらに詳細に説明する。上述のように、ヒューズブロック３０は、自らが有するガイド部３６を、リレーブロック２０のヒューズブロック収容部２８に設けられるガイド受け部２９と嵌合させることで、奥行き方向（第二挿入方向）に沿って摺動し、ヒューズブロック収容部２８内に挿入される。
【００４７】
ヒューズブロック３０のガイド部３６は、より詳細には、図３，５，８に示すように、ヒューズブロック３０の挿入方向（第二挿入方向）と直交する高さ方向（第一挿入方向）の上側に突出する第一突起部３６ａと、下側に突出する第二突起部３６ｂとを有する。
【００４８】
リレーブロック２０のヒューズブロック収容部２８に設けられるガイド受け部２９は、より詳細には、図４，８に示すように、ヒューズブロック収容部２８内の高さ方向上側に配置され、高さ方向下側に開口する第一溝部２９ａと、ヒューズブロック収容部２８内の高さ方向下側に配置され、高さ方向上側に開口する第二溝部２９ｂと、を有する。ガイド受け部２９の第一溝部２９ａと第二溝部２９ｂとは高さ方向に沿って対向配置される。図８に示すように、ガイド受け部２９は、ガイド部３６との嵌合時には、第一溝部２９ａがガイド部３６の第一突起部３６ａを高さ方向上側から保持し、第二溝部２９ｂがガイド部３６の第二突起部３６ｂを高さ方向下側から保持するよう形成されている。
【００４９】
図８に示すように、ヒューズブロック３０がリレーブロック２０に収容された状態では、ヒューズブロック３０のガイド部３６がリレーブロック２０のガイド受け部２９と嵌合されている。このとき、ヒューズブロック３０とヒューズブロック収容部２８との間の高さ方向のクリアランスと比較すると、ガイド部３６の第一突起部３６ａの先端と、ガイド受け部２９の第一溝部２９ａの溝底との間の高さ方向のクリアランスは小さく設定されている。同様に、ガイド部３６の第二突起部３６ｂの先端と、ガイド受け部２９の第二溝部２９ｂの溝底との間の高さ方向のクリアランスも、ヒューズブロック３０とヒューズブロック収容部２８との間のクリアランスと比較して小さく設定されている。したがって、ガイド部３６及びガイド受け部２９は、相互に嵌合することで、ヒューズブロック３０とリレーブロック２０との間での高さ方向（第一挿入方向）の相対的な変動量（ガタ）を低減するよう形成されている。
【００５０】
上記に説明したブロックアセンブリ１０の電気接続箱１の支持部７への組付け手順について説明する。まず、リレーブロック２０の収容部材２２の第二収容室２７ｂ内の端子金具４１に電線８ａが接続され（図１参照）、同じく収容部材２２の第一収容室２６及び第二収容室２７ａ，２７ｂにリレー２１が収容される（図２，３参照）。これにより、リレー２１の一方のタブ２３ｂは端子金具４１に嵌合され、端子金具４１を介して電線８ａと電気的に接続される（図１参照）。また、リレー２１の他方のタブ２３ａは、中継端子４２に嵌合される（図６参照）。
【００５１】
次に、ヒューズブロック３０の収容部材３３の端子収容室３５内の端子金具４３に電線８ｂが接続され（図１参照）、同じく収容部材３３のヒューズ収容室３４にヒューズ３１が収容される。これにより、ヒューズ３１の一方側の端子部３１ａは、バスバー３２のヒューズ接続部３２ａに挟持されて接続される（図６参照）。また、ヒューズ３１の他方側の端子部３１ｂは、端子金具４３に嵌合され、端子金具４３を介して電線８ｂと電気的に接続される（図１参照）。
【００５２】
次に、ヒューズブロック３０が、リレーブロック２０の収容部材２２のヒューズブロック収容部２８に収容される。ヒューズブロック３０は、側面部３３ｂのガイド部３６をリレーブロック２０のガイド受け部２９に嵌合させながら、奥行き方向の背面側からヒューズブロック収容部２８内に挿入される。そして、収容部材２２の前面部２２ａの内周面に突き当たる位置まで挿入されると、係合爪３７が係合孔２８ｂに係合されて、ヒューズブロック収容部２８内に完全に収容されて支持される（図２〜４参照）。これにより、ヒューズブロック３０のバスバー３２のリレー接続部３２ｂは、リレーブロック２０の第二収容室２７ａ内の中継端子４２に嵌合される。この結果、リレー２１の他方のタブ２３ａは、中継端子４２、バスバー３２、ヒューズ３１、端子金具４３を介して、電線８ｂと電気的に接続される（図１，６参照）。このとき、図６に示すように、リレー２１のタブ２３ａの中継端子４２への嵌合方向と、バスバー３２のリレー接続部３２ｂの中継端子４２への嵌合方向とは、共に奥行き方向であり、ヒューズブロック３０のリレーブロック２０への挿入方向（第二挿入方向）と同一である。
【００５３】
そして、図７に示すように、ブロックアセンブリ１０が高さ方向下側、すなわち図１のロアカバー５側から電気接続箱１の支持部７に挿入される。ブロックアセンブリ１０は、ガイド部材２２ｄを支持部７のガイド受け部７ｂに嵌合させながら高さ方向に沿って支持部７内に挿入され、所定位置まで挿入されると係合爪２２ｃが支持部７のロックアーム７ａに係合されて支持された状態となる（図１，７参照）。
【００５４】
次に、本実施形態に係る被支持部材と支持体との支持構造及び電気接続箱の効果について説明する。
【００５５】
本実施形態に係る被支持部材と支持体との支持構造は、ヒューズブロック３０と、このヒューズブロック３０を収容するヒューズブロック収容部２８を有するリレーブロック２０と、を有し、ヒューズブロック３０をリレーブロック２０に収容することで構成されるブロックアセンブリ１０と、開口部７ｃを有し、この開口部７ｃからブロックアセンブリ１０を挿入して支持する支持部７と、を備える。ブロックアセンブリ１０は、所定の第一挿入方向（高さ方向）に沿って支持部７へ挿入されるよう構成される。ブロックアセンブリ１０のヒューズブロック３０は、第一挿入方向と直交する第二挿入方向（奥行き方向）に沿って、リレーブロック２０のヒューズブロック収容部２８に挿入されるよう構成される。ヒューズブロック３０は、第二挿入方向に沿って延在するガイド部３６を有する。リレーブロック２０のヒューズブロック収容部２８は、第二挿入方向に沿って延在し、ガイド部３６と嵌合可能に設けられたガイド受け部２９を有する。
【００５６】
同様に、本実施形態に係る電気接続箱１は、ヒューズ３１を収容するヒューズブロック３０と、リレー２１を収容すると共に、ヒューズブロック３０を収容するヒューズブロック収容部２８を有するリレーブロック２０と、を有し、ヒューズブロック３０をリレーブロック２０に収容することで構成されるブロックアセンブリ１０と、設置時に上方側及び下方側に開口が位置する筒状に形成されるフレーム３と、フレーム３の上方側の開口を塞ぐアッパカバー４と、フレーム３の下方側の開口を塞ぐロアカバー５と、フレーム３の内周側に固設され、ロアカバー５側に開口部７ｃを有し、開口部７ｃからブロックアセンブリ１０を挿入して支持する支持部７と、を備える。ブロックアセンブリ１０は、所定の第一挿入方向（高さ方向、鉛直方向）に沿って支持部７へ挿入されるよう構成される。ブロックアセンブリ１０のヒューズブロック３０は、第一挿入方向と直交する第二挿入方向（奥行き方向、水平方向）に沿って、リレーブロック２０のヒューズブロック収容部２８に挿入されるよう構成される。ヒューズブロック３０は、第二挿入方向に沿って延在するガイド部３６を有する。リレーブロック２０のヒューズブロック収容部２８は、第二挿入方向に沿って延在し、ガイド部３６と嵌合可能に設けられたガイド受け部２９を有する。
【００５７】
この構成により、第一挿入方向に沿った振動が支持部７からブロックアセンブリ１０に伝達されても、ヒューズブロック３０のガイド部３６と、リレーブロック２０のガイド受け部２９とが嵌合状態であるため、ブロックアセンブリ１０を構成するヒューズブロック３０とリレーブロック２０との間での第一挿入方向の相対的な変動量（ガタ）を低減できる。これにより、ブロックアセンブリ１０に振動が伝達された場合でも、ヒューズブロック３０及びリレーブロック２０の振動の位相を略同一にすることが可能となり、ほぼ一部品の振動と同様とすることができる。この結果、被支持部材としてのブロックアセンブリ１０の耐振動性を向上できる。
【００５８】
また、本実施形態に係る被支持部材と支持体との支持構造によれば、ヒューズブロック３０のガイド部３６は、第二挿入方向と直交する第一挿入方向の一方側（高さ方向上側）に突出する第一突起部３６ａと、第一挿入方向の他方側（高さ方向下側）に突出する第二突起部３６ｂとを有する。リレーブロック２０のガイド受け部２９は、ガイド部３６との嵌合時に第一突起部３６ａを保持する第一溝部２９ａと、第二突起部３６ｂを保持する第二溝部２９ｂとを有する。
【００５９】
この構成により、ヒューズブロック３０のガイド部３６と、リレーブロック２０のガイド受け部２９との嵌合状態を密接にできるので、ブロックアセンブリ１０に振動が伝達された場合でも、ヒューズブロック３０及びリレーブロック２０の連動性を高めることができ、ブロックアセンブリ１０の耐振動性をより一層向上できる。
【００６０】
また、本実施形態に係る被支持部材と支持体との支持構造によれば、ヒューズブロック３０のガイド部３６と、リレーブロック２０のガイド受け部２９とは、相互に嵌合することで、ヒューズブロック３０とリレーブロック２０との間における第一挿入方向の相対的な変動量を低減するよう形成される。この構成により、ブロックアセンブリ１０に振動が伝達された場合でも、ヒューズブロック３０とリレーブロック２０との間のガタを好適に低減でき、ブロックアセンブリ１０の耐振動性をより一層向上できる。
【００６１】
また、本実施形態に係る被支持部材と支持体との支持構造によれば、ヒューズブロック３０は、ヒューズ３１と、このヒューズ３１と電気的に接続されるバスバー３２とを有する。リレーブロック２０は、リレー２１と、中継端子４２とを有する。中継端子４２は、長手形状の端子であり、一方側の端部にてリレー２１のタブ２３ａが嵌合され、他方側の端部にてヒューズブロック３０のバスバー３２が嵌合されることで、リレー２１及びバスバー３２と電気的に接続するよう構成される。リレー２１の中継端子４２への嵌合方向、及び、バスバー３２の中継端子４２への嵌合方向は、共に第二挿入方向となるよう構成される。
【００６２】
この構成により、ヒューズブロック３０とリレーブロック２０とを電気的に接続する端子同士を接続する方向が、第二挿入方向となり、ブロックアセンブリ１０の支持部７への挿入方向である第一挿入方向と直交するので、端子間の接触部分への第一挿入方向の振動の影響を軽減できる。これにより、ブロックアセンブリ１０に振動が伝達された場合でも、ヒューズブロック３０とリレーブロック２０との間の電気的な接続状態を良好に維持できる。
【００６３】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００６４】
上記実施形態では、電子部品の一例としてリレー２１（第二電子部品）、ヒューズ３１（第一電子部品）、及びヒューズブロック３０を例示して説明したが、他の電子部品を適用してもよい。
【００６５】
また、上記実施形態では、ブロックアセンブリ１０を構成するリレーブロック２０及びヒューズブロック３０において、ヒューズブロック３０のリレーブロック２０への挿入方向（第二挿入方向、奥行き方向）が、ブロックアセンブリ１０が電気接続箱１の支持部７へ挿入される方向（第一挿入方向、高さ方向、鉛直方向）と直交する構成を例示したが、第二挿入方向は第一挿入方向と交差すればよい。また、第一挿入方向は、図１の鉛直方向（電気接続箱１のフレーム３、アッパカバー４、及びロアカバー５の積層方向）と異なる方向でもよい。
【００６６】
また、上記実施形態では、電線８ａの収容部材２２への接続方向（図１の水平方向）は、この収容部材２２（ブロックアセンブリ１０）を電気接続箱１の支持部７に挿入する挿入方向（図１の鉛直方向）と直交する構成を例示したが、接続方向が挿入方向と交差すればよい。
【００６７】
また、上記実施形態では、電子部品としてのリレー２１が、収容部材２２に対して支持部７への挿入方向と直交する方向（奥行き方向）から収容される構成を例示したが、リレー２１に接続される電線８ａの接続方向が挿入方向と交差する構成であればよく、リレー２１の収容部材２２への挿入方向はこれに限定されない。
【００６８】
また、上記実施形態では、収容部材２２が複数の電子部品（リレー２１、ヒューズブロック３０）を収容可能であり、収容部材２２を支持部７に挿入するための押圧力が付加される被押圧面としての底面部２２ｅに最も近い位置に収容される電子部品（リレー２１）と接続する電線８ａについて、その接続方向が収容部材２２の支持部７への挿入方向と交差する構成を例示したが、他の電子部品（上記実施形態ではヒューズブロック３０）に接続される電線８ｂの接続方向も、同様に挿入方向と交差する方向としてもよい。
【００６９】
また、上記実施形態では、電気接続箱１の支持部７に挿入されるブロックアセンブリ１０を支持部７に係止させるための係合要素（係合爪２２ｃ、ガイド部材２２ｄ）が、リレーブロック２０に設けられる構成を例示したが、ヒューズブロック３０に設けてもよいし、リレーブロック２０及びヒューズブロック３０の両方に設けてもよい。言い換えると、ブロックアセンブリ１０を支持部７に係止させるための係合要素は、このブロックアセンブリ１０を構成する複数のブロックの一部またはすべてに設けるよう適宜選択することができる。
【符号の説明】
【００７０】
１  電気接続箱
３  フレーム
３ａ  上側開口
３ｂ  下側開口
４  アッパカバー
５  ロアカバー
７  支持部（支持体）
７ｃ  開口部
８ａ  電線
１０  ブロックアセンブリ（被支持部材）
２０  リレーブロック（第二部材）
２１  リレー（第二電子部品）
２２  収容部材
２３ａ  タブ（端子部）
２８  ヒューズブロック収容部（収容部）
２９  ガイド受け部
２９ａ  第一溝部
２９ｂ  第二溝部
３０  ヒューズブロック（第一部材）
３１  ヒューズ（第一電子部品）
３２  バスバー
３６  ガイド部
３６ａ  第一突起部
３６ｂ  第二突起部
４２  中継端子
【図１】
0006294790.tif 000002
【図２】
0006294790.tif 000003
【図３】
0006294790.tif 000004
【図４】
0006294790.tif 000005
【図５】
0006294790.tif 000006
【図６】
0006294790.tif 000007
【図７】
0006294790.tif 000008
【図８】
0006294790.tif 000009